(57)【要約】      （修正有）【課題】コストの削減およびパレットの保管スペースを削減することができるように改良されたフィルムロールの積層梱包体を提供する。【解決手段】フィルムロールの積層梱包体８は、矩形の端面保護部材３でそれぞれの両端面が保護されたフィルムロール１ａ、１ｂを横に寝かせて層状に積み上げてなる。そして、下層に位置する第１フィルムロール１ａの端面保護部材３の上辺３ａと上層に位置する第２フィルムロール１ｂの端面保護部材３の下辺３ｂとの間に、第１フィルムロール１ａの端面保護部材３の上辺３ａが嵌まり込む下側溝９ａと、第２フィルムロール１ｂの端面保護部材３の下辺３ｂが嵌まり込む上側溝９ｂと、を有する介在部材９を介在させてなる。【選択図】図１
0003213306.tif 000002
【実用新案登録請求の範囲】
【請求項１】
矩形の端面保護部材でそれぞれの両端面が保護されたフィルムロールを横に寝かせて層状に積み上げてなる、フィルムロールの積層梱包体において、
下層に位置する第１フィルムロールの前記端面保護部材の上辺と上層に位置する第２フィルムロールの前記端面保護部材の下辺との間に、前記第１フィルムロールの前記端面保護部材の上辺が嵌まり込む下側溝と、前記第２フィルムロールの前記端面保護部材の下辺が嵌まり込む上側溝と、を有する介在部材を介在させたことを特徴とするフィルムロールの積層梱包体。
【請求項２】
前記フィルムロールが少なくとも３段積層されてなる請求項１に記載のフィルムロールの積層梱包体。
【請求項３】
矩形の端面保護部材でそれぞれの両端面が保護されたフィルムロールを横に寝かせて層状に積み上げてなる、フィルムロールの積層梱包体に用いられる介在部材であって、
下層に位置する第１フィルムロールの前記端面保護部材の上辺が嵌まり込む下側溝と上層に位置する第２フィルムロールの前記端面保護部材の下辺が嵌まり込む上側溝とが設けられてなる、フィルムロール積層梱包体用介在部材。
【請求項４】
前記介在部材は略Ｈ字断面形状を有する請求項３に記載のフィルムロール積層梱包体用介在部材。
【請求項５】
前記介在部材は金属性金具で形成されている請求項４に記載のフィルムロール積層梱包体用介在部材。
【考案の詳細な説明】
【技術分野】
【０００１】
本考案は、一般にフィルムロールの積層梱包体に関するものであり、より特定的には、フィルムロールの輸出梱包に適したフィルムロールの積層梱包体に関する。本考案はまたそのようなフィルムロールの積層梱包体に適した介在部材に関する。
【背景技術】
【０００２】
図３（Ａ）に示すような、例えば熱収縮性筒状ラベル、ストレッチラベルあるいはその他のフィルムがコア２を中心にロール状に巻かれたフィルムロール１は、図３（Ｂ）に示すような端面保護部材３で両端面が保護され搬送される。端面保護部材３は、矩形の板状部材４と、プラスチックで形成された突出部５とからなる。端面保護部材３は、図３（Ｃ）に示すように、その突出部５を、フィルムロール１のコア２の空洞部に挿入することによって、フィルムロール１の両端面に配置され、フィルムロール１のコア２の両端部を受け止める。後述するが、端面保護部材３の板状部材４は、フィルムロール１を横に寝かせたとき、上辺３ａと下辺３ｂを有する。
【０００３】
端面保護部材３で両端面が保護された複数個のフィルムロール１は、図３（Ｄ）に示すようなパレット６の上に載せて搬送される。
【０００４】
例えば輸出する際には大量のフィルムロール１を梱包する必要があり、従来、図４に示すように、複数のフィルムロール１を積層して梱包する。フィルムロール１の積層は、最下層のパレット６ａの上に、1層目の２本のフィルムロール１を横に寝かせて並べることによって始められる。フィルムロール１が横に寝かせて並べられたとき、フィルムロール１の両端面に配置された矩形の板状部材４の下辺がフィルムロール１の重みを支える。１層目のフィルムロール１の上に２番目のパレット６ｂを配置する。矩形の板状部材４の上辺がパレット６ｂの重みを支える。２番目のパレット６ｂの上で、２層目の２本のフィルムロール１を横に寝かせて並べる。さらに２層目のフィルムロール１の上に３番目のパレット６ｃを配置する。３番目のパレット６ｃの上で、３層目の２本のフィルムロール１を横に寝かせて並べて、積み上げる。最後に、製品封止用のテープ１０を巻き、積み上げられたフィルムロール１の積層体がずれないように、ロープ７を張ると、３層に積み上げられたフィルムロール１の積層梱包体８が完成する。搬送の際には、最下層のパレット６ａの脚と脚の間にフォークリフトやハンドリフトの爪を差し込んで持ち上げられる。
【考案の概要】
【考案が解決しようとする課題】
【０００５】
従来のフィルムロール１の積層梱包体８は以上のように構成されている。しかし、図４に示す従来のフィルムロールの積層梱包体８は多くのパレット６ａ，６ｂ，６ｃを使用するので、工場内でパレットのための広い保管スペースが必要となり、またコストもかかるという問題点があった。
【０００６】
この考案は、上記のような問題点を解決するためになされたもので、コストの削減およびパレットの保管スペースを削減することができるように改良されたフィルムロールの積層梱包体を提供することを目的とする。
【０００７】
この考案の他の目的は、そのようなフィルムロールの積層梱包体に適したフィルムロールの積層梱包体用の介在部材を提供することにある。
【課題を解決するための手段】
【０００８】
本考案は、矩形の端面保護部材でそれぞれの両端面が保護されたフィルムロールを横に寝かせて層状に積み上げてなる、フィルムロールの積層梱包体に係る。そして、下層に位置する第１フィルムロールの上記端面保護部材の上辺と上層に位置する第２フィルムロールの上記端面保護部材の下辺との間に、上記第１フィルムロールの上記端面保護部材の上辺が嵌まり込む下側溝と、上記第２フィルムロールの上記端面保護部材の下辺が嵌まり込む上側溝と、を有する介在部材を介在させたことを特徴とする。
【０００９】
本考案によれば、従来の梱包体の積層のために使用されていた中間パレットの削減が可能となる。
【００１０】
上記フィルムロールの積層梱包体においては、上記フィルムロールが少なくとも３段積層されてなるのが好ましい。これにより大量で、安定した梱包状態で、フィルムロールの搬送、例えば輸出が可能となる。
【００１１】
この考案の他の局面に従う介在部材は、矩形の端面保護部材でそれぞれの両端面が保護されたフィルムロールを横に寝かせて層状に積み上げてなる、フィルムロールの積層梱包体に用いられる介在部材であって、下層に位置する第１フィルムロールの上記端面保護部材の上辺が嵌まり込む下側溝と上層に位置する第２フィルムロールの上記端面保護部材の下辺が嵌まり込む上側溝とが設けられてなる。
【００１２】
上記介在部材は、略Ｈ字断面形状を有するのが好ましい。
【００１３】
上記介在部材は金属性金具で形成されているのが好ましい。金属は靭性があり、外力によって破壊されにくい。
【考案の効果】
【００１４】
本考案に係るフィルムロールの積層梱包体によれば、従来の梱包体の積層のために使用されていた中間パレットの削減が可能となり、コストの削減およびパレットの保管スペースを削減することができる。
【図面の簡単な説明】
【００１５】
【図１】（Ａ）は本考案の実施例１に係るフィルムロールの積層梱包体の斜視図であり、（Ｂ）は、図１（Ａ）における、１層目と２層目の、Ｂ−Ｂ面に沿う断面図である。
【図２】（Ａ）〜（Ｃ）は、上記フィルムロールの積層梱包体の組み立て方の詳細を示す斜視図である。
【図３】（Ａ）はフィルムロールの斜視図であり、（Ｂ）は端面保護部材の斜視図であり、（Ｃ）は、両端面に端面保護部材が配置されたフィルムロールの斜視図であり、（Ｄ）はパレットの斜視図である。
【図４】従来のフィルムロールの積層梱包体の斜視図である。
【考案を実施するための形態】
【００１６】
コストの削減及びパレットの保管スペースを削減することができるように改良されたフィルムロールの積層梱包体を得るという目的を、下層に位置する第１フィルムロールの端面保護部材の上辺と上層に位置する第２フィルムロールの端面保護部材の下辺との間に、上記第１フィルムロールの上記端面保護部材の上辺が嵌まり込む下側溝と、上記第２フィルムロールの上記端面保護部材の下辺が嵌まり込む上側溝と、を有する介在部材を介在させることによって実現した。以下、本考案の実施例を、図を用いて説明する。各図中、同一又は相当する部分には同一の参照番号を付し、その説明を繰り返さない。なお、各図において、図面は比例尺で描かれていない。
【実施例１】
【００１７】
図１（Ａ），（Ｂ）を参照して、フィルムロールの積層梱包体８は、まず１層目のフィルムロールと２層目のフィルムロールの積層において、矩形の端面保護部材３でそれぞれの両端面が保護されたフィルムロール１ａ、１ｂを横に寝かせて層状に積み上げる。このとき、下層に位置する第１フィルムロール１ａの端面保護部材３の上辺３ａと上層に位置する第２フィルムロール１ｂの端面保護部材３の下辺３ｂとの間に、第１フィルムロール１ａの端面保護部材３の上辺３ａが嵌まり込む下側溝９ａと、第２フィルムロール１ｂの端面保護部材３の下辺３ｂが嵌まり込む上側溝９ｂと、を有する略Ｈ字断面形状（介在させた時、外側の方が内側に比べ長い）の介在部材９を介在させる。
【００１８】
次に２層目と３層目の積層は、下層に位置する第２フィルムロール１ｂの端面保護部材３ａの上辺と上層に位置する第３フィルムロール１ｃの端面保護部材３ｂの下辺との間に、第２フィルムロール１ｂの端面保護部材３の上辺３ａが嵌まり込む下側溝９ａと第３フィルムロール１ｃの端面保護部材３の下辺３ｂが嵌まり込む上側溝９ｂとを有する介在部材９を介在させてなる。
【００１９】
介在部材９の長さは、積層梱包体８の安定性を考慮して任意に調節できる。図面では、矩形の板状部材３の幅の２倍の長さよりも介在部材９の長さは短いが、矩形の板状部材３の幅の２倍の長さと介在部材９の長さは同じでもよい。
【００２０】
その組み立て方を詳細に説明すると、まず、図２（Ａ）を参照して、下側溝９ａと上側溝９ｂとを有する介在部材９（略Ｈ字断面形状（介在させた時、外側の方が内側に比べ長くなるものが好ましい））を準備する。図２（Ｂ）を参照して、プラスチックで形成された突出部を有する矩形の板状部材が、その突出部をフィルムロールのコアの空洞部に挿入することによって、端面保護部材３でその両端面が保護されたフィルムロール１を準備する。
【００２１】
次に、図２（Ｃ）を参照して、複数個のフィルムロール１の積層は、フォークリフトやハンドリフトの爪を差し込んで持ち上げるための土台となるパレット６の上に、端面保護部材３でその両端面が保護された２本のフィルムロール１ａ、１ａを横に寝かせて並べることによって始める。
【００２２】
次に、介在部材９を利用して、２層目の積層、すなわち、下層に位置する第１フィルムロール１ａの上に第２フィルムロール１ｂを積層する。積層は、下層に位置する第１フィルムロール１ａの端面保護部材３の上辺３ａと上層に位置する第２フィルムロール１ｂの端面保護部材３の下辺３ｂとの間に、第１フィルムロール１ａの端面保護部材３の上辺３ａが嵌まり込む下側溝９ａと第２フィルムロール１ｂの端面保護部材３の下辺３ｂが嵌まり込む上側溝９ｂとを有する介在部材９を介在させることによって行う。
【００２３】
さらに、介在部材９を利用して、３層目の積層、すなわち、下層に位置する第２フィルムロール１ｂの上に、３層目の第３フィルムロール１ｃを積層する。第３フィルムロール１ｃの積層は、下層に位置する第２フィルムロール１ｂの端面保護部材３の上辺３ａと上層に位置する第３フィルムロール１ｃの端面保護部材３の下辺３ｂとの間に、第２フィルムロール１ｂの端面保護部材３の上辺３ａが嵌まり込む下側溝９ａと第３フィルムロール１ｃの端面保護部材３の下辺３ｂが嵌まり込む上側溝９ｂとを有する介在部材９を介在させることによって行う。
【００２４】
このようにして、フィルムロール１ａ、１ｂ、１ｃが３層に積み上げられる。最後に、図１（Ａ）を再び参照して、製品封止用のテープ１０を巻き、積み上げられたフィルムロール１の積層体がずれないように、ロープ７を張ると、３層に積み上げられたフィルムロール１の積層梱包体８が完成する。本考案によれば、従来の積層梱包体において使用されていた中間パレットの削減が可能となる。
【００２５】
なお、上記実施例ではフィルムロールを３層積層する場合を例示したが、この考案はこれに限られるものでなく、２層であってもよいし、４層以上であってもよい。
【００２６】
また上記実施例では、介在部材が略Ｈ字断面形状を有する場合を例示したが、この考案はこれに限られるものでなく、下層に位置する第１フィルムロールの端面保護部材の上辺が嵌まり込む下側溝と、上層に位置する第２フィルムロールの端面保護部材の下辺が嵌まり込む上側溝と、を有するものであれば、どのような断面形状を有していてもよい。
【００２７】
今回開示された実施例はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００２８】
本考案によれば、従来の積層梱包体において使用されていた中間パレットの削減が可能となる。
【符号の説明】
【００２９】
１  フィルムロール
１ａ  １層目のフィルムロール
１ｂ  ２層目のフィルムロール
１ｃ  ３層目のフィルムロール
２  コア
３  端面保護部材
３ａ  上辺
３ｂ  下辺
４  板状部材
５  突出部
６、６ａ、６ｂ、６ｃ  パレット
７  ロープ
８  積層梱包体
９  介在部材
９ａ  下側溝
９ｂ  上側溝
１０  テープ
【図１】
0003213306.tif 000003
【図２】
0003213306.tif 000004
【図３】
0003213306.tif 000005
【図４】
0003213306.tif 000006